(57)【特許請求の範囲】
【請求項１】
略平行に配置される一対の側板間に固定される下地踏板と、前記下地踏板の蹴込みに立設して取り付けられる下地蹴込板と、前記下地踏板の上面に重ね合わせて固定される化粧踏板と、前記下地蹴込板の前面に重ね合わせて固定される化粧蹴込板とを備えた階段であって、
前記下地踏板は、その前端面から下面にかけて切欠き形成された切欠部を有し、その後端面は、前記下地蹴込板の後面から該下地蹴込板を貫通する後方固定具により固定されており、
前記下地蹴込板は、その上方後面が前記切欠部の前端面に当接するように配され、その状態で前記下地蹴込板の前方から該下地蹴込板を貫通し前記下地踏板に至る前方固定具により固定され、
前記化粧蹴込板は、前記下地蹴込板の前面に重ね合わせた状態で上段の前記下地踏板の前端面と略面一となるように設けられ、その下端面が下段の前記下地踏板の上面に載置され、且つその前面が前記化粧踏板の後端面に当接するように配設され、
前記化粧踏板の前方角部には、該前方角部を覆い隠すようにして配される段鼻部材が設けられ、該段鼻部材の下端部は、前記下地踏板の前端面を覆い前記化粧蹴込板の前方上端部が隠れる位置まで延出して形成されており、
前記段鼻部材の下端部から段鼻下固定具が挿通されて、前記段鼻部材が前記化粧踏板に取り付けられることを特徴とする階段。
【請求項２】
請求項１において、
前記段鼻部材の前記下端部には、下端部から斜め後方に打ち込まれる前記段鼻下固定具の頭部が納まる凹所が形成されていることを特徴とする階段。
【発明の詳細な説明】
【技術分野】
【０００１】
本発明は、住居等の建物に設置される階段に関する。
【背景技術】
【０００２】
従来、一対の平行な側板に仮設階段の踏板部として使用可能に固定される下地踏板と、仮設階段の蹴込部として使用可能に固定される下地蹴込板とを有した雛壇状の階段が知られている。下記特許文献１には、このような階段において、工事中は仮設階段として利用した後、下地踏板の上面に化粧踏板を、下地蹴込板の前面に化粧蹴込板を重ね合わせて固定することが開示されている。
【先行技術文献】
【特許文献】
【０００３】
【特許文献１】特開２０１３−１４４８８４号公報
【発明の概要】
【発明が解決しようとする課題】
【０００４】
しかしながら、上記特許文献１では、下地踏板を下地蹴込板に固定する際に下地踏板の上面から下地蹴込板に向けて木ネジ等の固定具を貫通させて固定する構造となっている。よって、固定具の取り付けが不十分な場合、下地踏板の踏面から突出した固定具により、作業員等が躓いたり、固定具にひっかかるおそれがある。
【０００５】
本発明は、上記の点を鑑みて提案されたものであり、その目的は、仮設階段として使用する際の強度及び安全性の向上を図ることができる階段を提案することにある。
【課題を解決するための手段】
【０００６】
上記目的を達成するために、本発明に係る階段は、略平行に配置される一対の側板間に固定される下地踏板と、前記下地踏板の蹴込みに立設して取り付けられる下地蹴込板と、前記下地踏板の上面に重ね合わせて固定される化粧踏板と、前記下地蹴込板の前面に重ね合わせて固定される化粧蹴込板とを備えた階段であって、前記下地踏板は、その前端面から下面にかけて切欠き形成された切欠部を有し、その後端面は、前記下地蹴込板の後面から該下地蹴込板を貫通する後方固定具により固定されており、前記下地蹴込板は、その上方後面が前記切欠部の前端面に当接するように配され、その状態で前記下地蹴込板の前方から該下地蹴込板を貫通し前記下地踏板に至る前方固定具により固定され、前記化粧蹴込板は、前記下地蹴込板の前面に重ね合わせた状態で上段の前記下地踏板の前端面と略面一となるように設けられ、その下端面が下段の前記下地踏板の上面に載置され、且つその前面が前記化粧踏板の後端面に当接するように配設され、前記化粧踏板の前方角部には、該前方角部を覆い隠すようにして配される段鼻部材が設けられ、該段鼻部材の下端部は、前記下地踏板の前端面を覆い前記化粧蹴込板の前方上端部が隠れる位置まで延出して形成されており、前記段鼻部材の下端部から段鼻下固定具が挿通されて、前記段鼻部材が前記化粧踏板に取り付けられることを特徴とする。
【発明の効果】
【０００７】
本発明に係る階段は、上述のような構成となっているため、仮設階段として使用する際の強度及び安全性の向上を図ることができる。
【図面の簡単な説明】
【０００８】
【図１】本発明の実施形態に係る階段を説明するために模式的に示した図であり、（ａ）は同階段の施工過程を示す斜視図、（ｂ）は（ａ）の側面図である。
【図２】（ａ）は、同階段の施工過程を示す斜視図、（ｂ）は（ａ）の側面図である。
【図３】（ａ）は、同階段を示す斜視図、（ｂ）は（ａ）の側面図である。
【発明を実施するための形態】
【０００９】
以下に本発明の実施の形態について、図面に基づいて説明する。
以下の実施形態では、施工された階段に下階側から対面した状態を基準として、手前側を前方、その逆側を後方（奥方）とし、また、その状態を基準として、上下方向・左右方向等の方向を説明する。図１〜図３は、本実施形態に係る階段を説明するための説明図であり、一部の図では、他図に付している詳細な符号の一部を省略している。また固定具７ａ〜７ｅの図示も適宜省略している。
【００１０】
本実施形態に係る階段１は、略平行に配置される一対の側板２，２間に固定される下地踏板３と、下地踏板３の蹴込み部分に取り付けられる下地蹴込板４とを備える。またこの階段１は、下地踏板３の上面３ａに重ね合わせて固定される化粧踏板５と、下地蹴込板４の前面４ｂに重ね合わせて固定される化粧蹴込板６とを備える。下地踏板３は、その前端面３ｂから下面３ｃにかけて切欠き形成された切欠部３０を有し、その後端面３ｄは、下地蹴込板４の後面４ｄから下地蹴込板４を貫通する後方固定具７ｂにより固定される。下地蹴込板４は、その上方後面４ｄａが切欠部３０の前端面３０ｂに当接するように配され、その状態で下地蹴込板４の前方から下地蹴込板４を貫通する前方固定具７ａにより固定されている。以下、詳しく説明する。
【００１１】
階段１は、住居等の建物内の下階と上階との階段として施工されるものとしてもよく、または、屋根裏部屋等のロフトへの階段として施工されるものとしてもよい。階段１を構成する一対の側板２，２は、階段１の勾配に応じて配設される平板状とされ、壁面（不図示）に沿って左右に略平行に配置される。側板２の材質は特に限定されないが、無垢の木材や、合板等の木質積層板、集成木材、木質繊維板等の木質系材料から形成されたものとしてもよく、合成樹脂系材料や、木粉（木質）・プラスチック複合材等から形成されたものとしてもよい。また、これらからなる基材の表面に、突板や樹脂フィルム等の表面化粧シートが貼着されたり、塗装が施されたりして表面化粧処理が施されたものとしてもよい。側板２には、雛壇状に水平面２ａと垂直面２ｂとが交互に形成されており、水平面２ａには下地踏板３の左右方向の端部が載置され、下地踏板３はこの水平面２ａに踏板固定具７ｃで固定される。なお、側板２が固定される壁面は、間柱等の柱材や、スタッド、鋼材、鉄筋コンクリート等の建物の構造躯体等を構成するものとしてもよい。
【００１２】
下地踏板３は、一対の側板２，２の水平面２ａ，２ａにその両端部が固定される横幅寸法をもつ矩形の平板状とされ、その上面３ａが仮設階段として使用する際には、踏面３ｅとなる。下地踏板３の材質は、特に限定されないが、木質系材料や合成樹脂系材料、木粉（木質）・プラスチック複合材等から形成されたものとしてもよい。下地踏板３の厚さ寸法も特に限定されないが、１０ｍｍ〜２５ｍｍ程度としてもよい。下地踏板３は、下地踏板３の前端面３ｂから下面３ｃにかけて切欠き形成された切欠部３０を有し、図中、３ａは上面、３ｂは前端面、３ｃは下面、３ｄは後端面、３０ａは切欠上面、３０ｂは前端面を示している。下地踏板３は、図１（ａ）に示すように上方から下地踏板３を貫通して側板２に至る踏板固定具７ｃにより、側板２の水平面２ａに固定されている。また図１（ｂ）に示すように下地踏板３の切欠部３０の前端面３０ｂには、下地蹴込板４を前方から固定する前方固定具７ａが挿通され、下地踏板３の後端面３ｄには、下地蹴込板４を後方から固定する後方固定具７ｂが挿通される。
【００１３】
下地蹴込板４は、下地踏板３の蹴込み部分に取り付けられ、矩形の平板状とされる。図例の下地蹴込板４は、下地踏板３の横幅寸法より小さい横幅寸法とされているが、これに限定されず、一対の側板２，２の垂直面２ｂ，２ｂにその両端部が固定される幅寸法を有したものとしてもよい。下地蹴込板４の材質も特に限定されず、下地踏板３と同様のものとすることができる。下地蹴込板４の厚さ寸法も特に限定されないが、下地踏板３よりも薄くてもよく、例えば８ｍｍ〜２０ｍｍ程度としてもよい。図中、４ａは上端面、４ｂは前面、４ｃは下端面、４ｄは後面、４ｂａは上方前面、４ｂｂは下方前面、４ｄａは上方後面、４ｄｂは下方後面を示している。下地蹴込板４は、図１（ｂ）に示すように、その上端面４ａが切欠部３０の切欠上面３０ａと近接もしくは当接し、その上方後面４ｄａが切欠部３０の前端面３０ｂに当接するように配されている。また、下地蹴込板４は、その下方前面４ｂｂが下地踏板３の後端面３ｄに当接するように配されている。そして下地蹴込板４は、この状態で下地蹴込板４の上方前面４ｂａから下地蹴込板４を貫通し下地踏板３に至る前方固定具７ａにより固定されている。また下地蹴込板４は、この状態で下地蹴込板４の下方後面４ｄｂから下地蹴込板４を貫通し下地踏板３に至る後方固定具７ｂで固定されている。
【００１４】
図１（ａ）及び図１（ｂ）に示す一対の側板２，２、下地踏板３及び下地蹴込板４で構成される階段は、この状態で住宅の建設中における汚損を防ぐための養生を要しない仮設階段１００として使用することができる。またこのような施工途中の仮設階段１００であっても、下地踏板３が一対の側板２，２に固定されるとともに、下地蹴込板４を介在させて前方固定具７ａ及び後方固定具７ｂにより固定されている。よって下地踏板３の前方の強度を確保でき、昇降時の安全性を高めることができる。また、下地踏板３と下地蹴込板４とを固定するこれら固定具７ａ〜７ｃは、前方、後方、そして下地踏板３の両端部に打ちこまれるので、下地踏板３の踏面３ｅとなる箇所にこれら固定具７ａ〜７ｃが挿通されない。よって作業員等が仮設階段１００を昇降する際に下地踏板３を固定するための固定具７ａ〜７ｃに躓いたり、ひっかけたりする等を防ぐことができる。
【００１５】
化粧踏板５は、下地踏板３の上面３ａに重ね合わせて固定される。化粧踏板５は、下地踏板３の横幅寸法と略等しい横幅寸法と、下地踏板３の奥行き寸法より若干小さい奥行き寸法を持つ矩形の平板状とされ、上面５ａから前端面５ｂにかけて、切欠き形成され段鼻部材８が配設される化粧切欠部５０が形成されている。化粧踏板５の材質は特に限定されないが、無垢の木材や、合板等の木質積層板、集成木材、木質繊維板等の木質系材料から形成されたものとしてもよく、合成樹脂系材料や、木粉（木質）・プラスチック複合材等から形成されたものとしてもよい。また、これらからなる基材の表面に、突板や樹脂フィルム等の表面化粧シートが貼着されたり、塗装が施されたりして表面化粧処理が施されたものとしてもよい。化粧踏板５の厚さ寸法は特に限定されないが、下地踏板３よりも薄くしてもよく、例えば８ｍｍ〜２０ｍｍ程度としてもよい。図中、５ａは上面、５ｂは前端面、５ｃは下面、５ｄは後端面を示している。化粧踏板５は、下地踏板３の上面３ａに重ね合わされ、化粧踏板５の下面５ｃと下地踏板３の上面３ａとが当接し積層されて配設される。また化粧踏板５は、その後端面５ｄが、化粧蹴込板６の前面６ｂに当接するように配設され、この状態で接着剤により下地踏板３に固定されている。
【００１６】
化粧蹴込板６は、下地蹴込板４の前面４ｂに重ね合わせて固定され、図２（ａ）に示すように上段に配設される化粧踏板５と下段に配設される化粧踏板５の間を覆うように配設される。化粧蹴込板６は、化粧踏板５の横幅寸法と略等しい横幅寸法を有し、上段の下地踏板３の切欠部３０と下段の下地踏板３の上面３ａとの間に載置できる高さ寸法を持つ矩形の平板状とされる。化粧蹴込板６の材質も特に限定されず、化粧踏板５と同様のものを用いることができる。化粧蹴込板６の厚さ寸法も特に限定されないが、例えば４ｍｍ〜６ｍｍ程度の薄板状としてもよい。図中、６ａは上端面、６ｂは前面、６ｃは下端面、６ｄは後面、６ｂａは前方上端部を示している。化粧蹴込板６は、図２（ｂ）に示すように下地蹴込板４の前面４ｂに重ね合わせた状態で、上段の下地踏板３の前端面３ｂと略面一となるように設けられ、化粧蹴込板６の後面６ｄと下地蹴込板４の前面４ｂとが当接し積層された状態となる。また化粧蹴込板６は、その下端面６ｃが下段の下地踏板３の上面３ａに載置され、且つその前面６ｂが化粧踏板５の後端面５ｄに当接するように配設され、この状態で接着剤により下地蹴込板４に固定されている。よって、化粧蹴込板６で前方固定具７ａを覆い隠すことができ、見栄えがよいものとすることができる。また化粧蹴込板６は、下地蹴込板４と、段鼻部材８及び化粧踏板５の後端面５ｄとの間に挟み込まれるように配設されているので、化粧蹴込板６を固定するための接着剤の使用を極力少なくすることができる。
【００１７】
段鼻部材８は、化粧踏板５の前方角部を覆い隠すように配されている。具体的には段鼻部材８は、化粧踏板５の化粧切欠部５０と前端面５ｂとを覆うように化粧踏板５の横幅寸法と略等しい横幅寸法をもつ断面略Ｌ字状に形成された部材である。段鼻部材８の材質は、特に限定されず、化粧踏板５や化粧蹴込板６と同様のものとしてもよい。段鼻部材８は、化粧切欠部５０に嵌め合わされるように形成された上覆部８ａと、化粧踏板５の前端面５ｂに被さるように形成された前覆部８ｂとを有している。段鼻部材８の上覆部８ａは、化粧踏板５の上面５ａと略面一になるように形成されている。段鼻部材８の下端部８ｃは、下地踏板３の前端面３ｂを覆い、化粧蹴込板６の前方上端部６ｂａが隠れる位置まで延出して形成されている。段鼻部材８の上覆部８ａには、凹溝８０が横方向（段鼻部材８の長手方向）に形成されており、凹溝８０の上方から凹溝８０の底部に向けて段鼻上固定具７ｄが挿通される（図２（ｂ）参照）。段鼻部材８の下端部８ｃには、下端部８ｃから斜め後方に打ちこまれる段鼻下固定具７ｅの頭部が納まる凹所８１（図２（ｂ）参照）が形成されており、ここに段鼻下固定具７ｅが挿通される。こうして段鼻部材８は、段鼻上固定具７ｄと段鼻下固定具７ｅとにより、化粧踏板５の前方角部（先端部分）に強固に取り付けることができる。
【００１８】
図３（ａ）及び図３（ｂ）に示すように段鼻部材８には、凹溝８０に嵌合する滑り止め部材９が設けられている。この滑り止め部材９の材質は特に限定されないが、滑り止め機能を発揮し得る例えば軟質の合成樹脂材料や弾性材料等からなるものとしてもよい。滑り止め部材９は、凹溝８０と段鼻上固定具７ｄとを覆い隠すカバー部９ａと、凹溝８０に嵌まり込む嵌込部９ｂとを有し、図例のものは、カバー部９ａが段鼻部材８と化粧踏板５との境目が隠れるように延出して形成されている。また凹所８１に挿通される段鼻下固定具７ｅの頭部には、図３（ｂ）に示すキャップ部材１０を嵌合させるようにしてもよい。このように段鼻下固定具７ｅの頭部は凹所８１におさまっている上、その頭部にキャップ部材１０が嵌合されていれば、階段１を見上げても見栄えのよいものとすることができる。
なお、段鼻下固定具７ｅの頭部を覆い隠す構造としては、図例のキャップ部材１０に限定されず、凹所８１を長手方向に沿って形成される溝条とし、そこに押し出し成型して形成された嵌合部材（不図示）を嵌め入れるようにしてもよい。
【００１９】
次に、上記構成とされた階段１の施工手順の一例について、図１〜図３を参照しながら説明する。なお、以下に説明する手順は一例であって、これに限定されるものではない。
まず、一対の側板２，２を壁面（不図示）沿わせて固定する。次に図１（ａ）に示すように下地踏板３を一対の側板２，２の水平面２ａ，２ａの上に架け渡すように配置し、踏板固定具７ｃを下地踏板３の両端部に打ちこんで固定する。このとき、下地踏板３の上面３ａに水準器を置いて水平になっているか確認してから踏板固定具７ｃで下地踏板３を水平面２ａに順次固定していく。
【００２０】
次に下地蹴込板４を配設する。階段１設置場所の背面側にまわり、下地蹴込板４の上端面４ａが下地踏板３の切欠部３０の切欠上面３０ａに当接し、その上方後面４ｄａが切欠部３０の前端面３０ｂに当接するように配する。また下地蹴込板４の下方前面４ｂｂが下地踏板３の後端面３ｄに当接するように配し、この状態で後方固定具７ｂを下地蹴込板４の下方後面４ｄｂに挿通させ、下地蹴込板４を貫通し下地踏板３に至る位置まで螺入していく。これにより、下地蹴込板４の下方側が後方固定具７ｂで下地踏板３に固定される。再び階段１設置場所のおもて側に移動し、前方固定具７ａで下地蹴込板４の上方と下地踏板３とを固定する。下地蹴込板４の上方後面４ｄａが切欠部３０の前端面３０ｂに当接するように再度位置決めをし、前方固定具７ａを下地蹴込板４の前方から螺入していく。前方固定具７ａは下地蹴込板４を貫通して下地踏板３の前端面３０ｂに至る。これにより、下地蹴込板４の上方側が前方固定具７ａで下地踏板３に固定される。以上のような施工手順を経て仮設階段１００が施工される。なお、施工手順は上述に限定されず、後方固定具７ｂで下地蹴込板４を下地踏板３に固定するよりも先に、前方固定具７ａで下地蹴込板４を固定する手順を先に行ってもよい。
【００２１】
仮設階段１００としての使用が終わったら、仮設階段１００の上に化粧蹴込板６、化粧踏板５を順次施工し階段１の仕上げ施工を行う。まず前方固定具７ａで固定された下地蹴込板４の前面４ｂに重ねて化粧蹴込板６を配設する。すると、化粧蹴込板６の前面６ｂと上段の下地踏板３の前端面３ｂと略面一となり、化粧蹴込板６の下端面６ｃが下段の下地踏板３の上面３ａに載置される。このとき、化粧蹴込板６は下地蹴込板４に接着剤によって固定される。
【００２２】
続いて化粧踏板５を配設する。化粧踏板５は、下地踏板３の上面３ａに重ね合わせて配設するとともに化粧踏板５の後端面５ｄが、化粧蹴込板６の前面６ｂに当接するように配設する。そしてこの状態で化粧踏板５を下地踏板３に接着剤で固定する。
次に化粧踏板５の化粧切欠部５０に段鼻部材８を配設する。段鼻部材８の上覆部８ａを段鼻上固定具７ｄで、前覆部８ｂを段鼻下固定具７ｅで固定する。具体的には図２（ｂ）に示すように段鼻上固定具７ｄは段鼻部材８の凹溝８０から化粧踏板５に至るまで螺入され、段鼻下固定具７ｅは段鼻部材８の凹所８１から斜め上に向けて化粧踏板５に至るまで螺入される。なお、段鼻下固定具７ｅは下地踏板３に至って固定するようにしてもよい。
こうして段鼻部材８を固定した後、凹溝８０には滑り止め部材９を嵌め入れ、凹所８１に収まっている段鼻下固定具７ｅの頭部にキャップ部材１０を嵌合する。以上のような施工手順を経て図３（ａ）に示すような階段１が施工される。
【００２３】
以上、本実施形態によれば、施工途中の仮設階段１００であっても、下地踏板３が一対の側板２，２に固定されるとともに、下地蹴込板４を介在させて前方固定具７ａ及び後方固定具７ｂにより固定されているので、下地踏板３の前方の強度を確保できる。また下地踏板３と下地蹴込板４とを固定するこれら固定具７ａ〜７ｃは、前方、後方、そして下地踏板３の両端部に打ちこまれるので、下地踏板３の踏面３ｅとなる箇所にこれら固定具７ａ〜７ｃが挿通されない。よって、仮設階段１００の昇降時の安全性を高めることができる。また、仮設階段１００として使用している場合において、建築資材等が下地踏板３や下地蹴込板４に接触し、下地踏板３や下地蹴込板４にキズがつくことがあっても、本実施形態によれば、後に化粧踏板５、化粧蹴込板６及び段鼻部材８を配設する構成になっている。よって下地踏板３や下地蹴込板４についたキズを、化粧踏板５や化粧蹴込板６により覆い隠すことが可能であり、養生の必要がない仮設階段１００とすることができる。
さらに施工手順は上述に限定されず、仮設階段１００の上に施工される化粧踏板５と化粧蹴込板６とを将来的なリフォームを想定して取り外しが容易に接着剤の使用を極力少なくして取り付けるようにしてもよい。本実施形態によれば、階段１の施工後に下地踏板３及び下地蹴込板４をそのままにして、化粧踏板５と化粧蹴込板６とを交換することができる。よってリフォームの前後で階段１の段差を変えることなくリフォームを行うことが可能である。
【００２４】
なお、本実施形態における階段１、仮設階段１００、一対の側板２，２、下地踏板３、下地蹴込板４、化粧踏板５、化粧蹴込板６、段鼻部材８等の形状、構成は図例に限定されるものではなく、固定具７ａ〜７ｅによる固定位置、固定箇所等も図例に限定されない。下地踏板３は一対の側板２，２間の水平面２ａ，２ａの上に重ねて配され、上方から踏板固定具７ｃで固定されているが、これに限定されず、Ｌ字型受け金具等により、下地踏板３を下面３ｃから固定する構成等でもよい。また本実施形態において、下地蹴込板４は下地踏板３の横幅寸法より小さくしているが、これに限定されることはなく、下地蹴込板４の横幅寸法が下地踏板３の横幅寸法に略等しい下地蹴込板４とする構成でもよい。本実施形態において、固定具７ａ〜７ｅとは木ネジを示しているがこれに限定されることはなく、釘等の他の公知の固定具で固定する構成でもよいし、接着剤等を組み合わせて固定するようにしてもよい。さらに、化粧踏板５、化粧蹴込板６及び段鼻部材８にカーペット等のシート状の部材を上貼りする構成でもよい。
【符号の説明】
【００２５】
１      階段
２      側板
３      下地踏板
３ａ    上面
３ｂ    前端面
３ｄ    後端面
３０    切欠部
３０ｂ  前端面
４      下地蹴込板
４ｄ    後面
４ｄａ  上方後面
５      化粧踏板
６      化粧蹴込板
７ａ    前方固定具
７ｂ    後方固定具
８      段鼻部材  
【図１】
0006685028.tif 000002
【図２】
0006685028.tif 000003
【図３】
0006685028.tif 000004